(57)【特許請求の範囲】
【請求項１】
モジュール部品であって、
背面パネルと、
前記背面パネルの第１面に固定される加熱モジュールと、
前記加熱モジュールに固定され、第１熱膨張係数を有する熱膨張モジュールと、を含み、
前記熱膨張モジュールは、第１熱膨張モジュール及び第２熱膨張モジュールを含み、前記第１面と所定の距離において設けられ、前記加熱モジュールから供給された熱により第１変形を生じるとともに、前記背面パネルに第１付勢力を付与して第２変形を生じさせ、
前記加熱モジュールは、前記第１熱膨張モジュールに対応する第１加熱モジュール及び前記第２熱膨張モジュールに対応する第２加熱モジュールを含み、前記第１加熱モジュール及び前記第２加熱モジュールが、前記背面パネルと前記熱膨張モジュールとの間に設置されることで前記熱膨張モジュール及び前記背面パネルに熱を供給し、
前記第１加熱モジュール及び前記第２加熱モジュールは、ヒーター線または加熱ブロックを含み、
前記背面パネルの熱膨張係数は、前記第１熱膨張係数よりも小さいことを特徴とするモジュール部品。
【請求項２】
前記背面パネルは、第１パネル体を含み、
前記第１パネル体は、前記第１熱膨張係数よりも小さい第２熱膨張係数を有することを特徴とする請求項１に記載のモジュール部品。
【請求項３】
前記背面パネルは、第２パネル体及び第３パネル体を含み、
前記第２パネル体は、第３熱膨張係数を有し、
前記第３パネル体は、第４熱膨張係数を有し、
前記第３熱膨張係数及び前記第４熱膨張係数は、いずれも前記第１熱膨張係数よりも小さいことを特徴とする請求項１に記載のモジュール部品。
【請求項４】
前記第２パネル体と前記第３パネル体とは重なって一体に組み合わせられるか、または一体に突き合わせられることを特徴とする請求項３に記載のモジュール部品。
【請求項５】
前記第１熱膨張モジュール及び前記第２熱膨張モジュールは、前記加熱モジュールから発せられた熱を受けた後に第１方向に膨張することで、前記第１変形を生じるとともに、前記背面パネルに前記第２変形を強制的に生じさせ、
前記第１方向は、前記第１熱膨張モジュール及び前記第２熱膨張モジュールの長手方向であり、表示パネルの長辺と平行になることを特徴とする請求項１に記載のモジュール部品。
【請求項６】
前記第１熱膨張モジュール及び前記第２熱膨張モジュールは、前記加熱モジュールから発せられた熱を受けた後に第２方向に膨張することで、前記第１変形を生じるとともに前記背面パネルに前記第２変形を強制的に生じさせ、
前記第２方向は、前記第１熱膨張モジュール及び前記第２熱膨張モジュールの長手方向であり、表示パネルの短辺と平行になることを特徴とする請求項１に記載のモジュール部品。
【請求項７】
モジュール部品であって、
背面パネルと、
前記背面パネルの第１面に固定される加熱モジュールと、
前記加熱モジュールに固定され、第１熱膨張係数を有する熱膨張モジュールと、を含み、
前記熱膨張モジュールは、前記第１面と所定の距離において設けられ、前記加熱モジュールから供給された熱により第１変形を生じるとともに、前記背面パネルに第１付勢力を付与して第２変形を生じさせ、
前記加熱モジュールは、前記熱膨張モジュールに対応しており、前記背面パネルと前記熱膨張モジュールとの間に設置されることで前記熱膨張モジュール及び前記背面パネルに熱を供給し、
前記背面パネルの熱膨張係数は、前記第１熱膨張係数よりも小さいことを特徴とするモジュール部品。
【請求項８】
前記背面パネルは、第１パネル体を含み、
前記第１パネル体は、前記第１熱膨張係数よりも小さい第２熱膨張係数を有することを特徴とする請求項７に記載のモジュール部品。
【請求項９】
前記背面パネルは、第２パネル体及び第３パネル体を含み、
前記第２パネル体は、第３熱膨張係数を有し、
前記第３パネル体は、第４熱膨張係数を有し、
前記第３熱膨張係数及び前記第４熱膨張係数は、いずれも前記第１熱膨張係数よりも小さいことを特徴とする請求項７に記載のモジュール部品。
【請求項１０】
前記第２パネル体と前記第３パネル体とは重なって一体に組み合わせられるか、または一体に突き合わせられることを特徴とする請求項９に記載のモジュール部品。
【請求項１１】
前記熱膨張モジュールは、第１熱膨張モジュール及び第２熱膨張モジュールを含み、
前記第１熱膨張モジュール及び前記第２熱膨張モジュールは、前記加熱モジュールから発せられた熱を受けた後に第１方向に膨張することで、前記第１変形を生じるとともに前記背面パネルに前記第２変形を強制的に生じさせ、
前記第１方向は、前記第１熱膨張モジュール及び前記第２熱膨張モジュールの長手方向であり、表示パネルの長辺と平行になることを特徴とする請求項７に記載のモジュール部品。
【請求項１２】
前記熱膨張モジュールは、第１熱膨張モジュール及び第２熱膨張モジュールを含み、
前記第１熱膨張モジュール及び前記第２熱膨張モジュールは、前記加熱モジュールから発せられた熱を受けた後に第２方向に膨張することで、前記第１変形を生じるとともに前記背面パネルに前記第２変形を強制的に生じさせ、
前記第２方向は、前記第１熱膨張モジュール及び前記第２熱膨張モジュールの長手方向であり、表示パネルの短辺と平行になることを特徴とする請求項７に記載のモジュール部品。
【請求項１３】
表示装置であって、
表示パネルと、
前記表示パネルと一体に組み合わせられるモジュール部品とを含み、
前記モジュール部品は、
背面パネルと、
前記背面パネルの第１面に固定される加熱モジュールと、
前記加熱モジュールに固定され、第１熱膨張係数を有する熱膨張モジュールと、を含み、
前記熱膨張モジュールは、前記第１面と所定の距離において設けられ、前記加熱モジュールから供給された熱により第１変形を生じるとともに、前記背面パネルに第１付勢力を付与して第２変形を生じさせ、
前記加熱モジュールは、前記熱膨張モジュールに対応しており、前記背面パネルと前記熱膨張モジュールとの間に設置されることで前記熱膨張モジュール及び前記背面パネルに熱を供給し、
前記背面パネルの熱膨張係数は、前記第１熱膨張係数よりも小さく、
前記モジュール部品は、前記背面パネルが前記第２変形を生じた場合、前記表示パネルに第２付勢力を付与して第３変形を生じさせることを特徴とする表示装置。
【請求項１４】
前記背面パネルは、第１パネル体を含み、
前記第１パネル体は、前記第１熱膨張係数よりも小さい第２熱膨張係数を有することを特徴とする請求項１３に記載の表示装置。
【請求項１５】
前記背面パネルは、第２パネル体及び第３パネル体を含み、
前記第２パネル体は、第３熱膨張係数を有し、
前記第３パネル体は、第４熱膨張係数を有し、
前記第３熱膨張係数及び前記第４熱膨張係数は、いずれも前記第１熱膨張係数よりも小さいことを特徴とする請求項１３に記載の表示装置。
【請求項１６】
前記第２パネル体と前記第３パネル体とは重なって一体に組み合わせられるか、または一体に突き合わせられることを特徴とする請求項１５に記載の表示装置。
【請求項１７】
前記熱膨張モジュールは、第１熱膨張モジュール及び第２熱膨張モジュールを含み、
前記第１熱膨張モジュール及び前記第２熱膨張モジュールは、前記加熱モジュールから発せられた熱を受けた後に第１方向に膨張することで、前記第１変形を生じるとともに前記背面パネルに前記第２変形を強制的に生じさせ、
前記第１方向は、前記第１熱膨張モジュール及び前記第２熱膨張モジュールの長手方向であり、表示パネルの長辺と平行になることを特徴とする請求項１３に記載の表示装置。
【請求項１８】
前記熱膨張モジュールは、第１熱膨張モジュール及び第２熱膨張モジュールを含み、
前記第１熱膨張モジュール及び前記第２熱膨張モジュールは、前記加熱モジュールから発せられた熱を受けた後に第２方向に膨張することで、前記第１変形を生じるとともに前記背面パネルに前記第２変形を強制的に生じさせ、
前記第２方向は、前記第１熱膨張モジュール及び前記第２熱膨張モジュールの長手方向であり、表示パネルの短辺と平行になることを特徴とする請求項１３に記載の表示装置。
【発明の詳細な説明】
【技術分野】
【０００１】
本発明は、表示技術領域に関し、特に、モジュール部品及び表示装置に関する。
【背景技術】
【０００２】
従来の表示パネルは、通常、支持フレームを用いて背面パネルを目標の曲面に強制的に屈曲させるか、または背面パネルを目標の曲面に直接成型することで曲面ディスプレイを実現することができる。
【発明の概要】
【発明が解決しようとする課題】
【０００３】
しかしながら、従来の表示パネルは、背面パネルを一定の目標の曲面に事前に形成することしかできず、所望に応じて背面パネル（表示パネル）を目標の曲面に可変に形成することができないという問題があった。
【０００４】
したがって、本発明は、上記の問題を解決するために、所望に応じて表示パネルを必要な曲面ディスプレイに形成可能なモジュール部品及び表示装置を提供することにある。
【課題を解決するための手段】
【０００５】
上記目的を達成するために、本発明の一実施形態に係るモジュール部品は、背面パネルと、前記背面パネルの第１面に固定される加熱モジュールと、前記加熱モジュールに固定され、第１熱膨張係数を有する熱膨張モジュールと、を含む。前記加熱モジュールは、前記熱膨張モジュールに熱を供給する。前記熱膨張モジュールは、前記加熱モジュールから供給された熱により第１変形を生じるとともに、前記背面パネルに第１付勢力を付与して第２変形を生じさせる。前記第１加熱モジュール及び前記第２加熱モジュールは、ヒーター線または加熱ブロックを含む。前記背面パネルは、第１パネル体を含む。前記第１パネル体は、前記第１熱膨張係数よりも小さい第２熱膨張係数を有する。
【０００６】
上記のモジュール部品では、前記背面パネルは、第２パネル体及び第３パネル体を含む。前記第２パネル体は、第３熱膨張係数を有する。前記第３パネル体は、第４熱膨張係数を有する。前記第３熱膨張係数及び前記第４熱膨張係数は、いずれも前記第１熱膨張係数よりも小さい。
【０００７】
上記のモジュール部品では、前記第２パネル体と前記第３パネル体とは重なって一体に組み合わせられるか、または一体に突き合わせられる。
【０００８】
上記のモジュール部品では、前記熱膨張モジュールは、前記第１面と所定の距離において設けられる。
【０００９】
上記のモジュール部品では、前記第１熱膨張モジュール及び前記第２熱膨張モジュールは、前記加熱モジュールから発せられた熱を受けた後に前記第１方向に膨張することで、前記第１変形を生じるとともに前記背面パネルに前記第２変形を強制的に生じさせる。前記第１方向は、前記第１熱膨張モジュール及び前記第２熱膨張モジュールの長手方向であり、表示パネルの長辺と平行になる。
【００１０】
上記のモジュール部品では、前記第１熱膨張モジュール及び前記第２熱膨張モジュールは、前記加熱モジュールから発せられた熱を受けた後に前記第２方向に膨張することで、前記第１変形を生じるとともに前記背面パネルに前記第２変形を強制的に生じさせる。前記第２方向は、前記第１熱膨張モジュール及び前記第２熱膨張モジュールの長手方向であり、表示パネルの短辺と平行になる。
【００１１】
本発明の一実施形態に係るモジュール部品は、背面パネルと、前記背面パネルの第１面に固定される加熱モジュールと、前記加熱モジュールに固定され、第１熱膨張係数を有する熱膨張モジュールと、を含む。前記加熱モジュールは、前記熱膨張モジュールに熱を供給する。前記熱膨張モジュールは、前記加熱モジュールから供給された熱により第１変形を生じるとともに、前記背面パネルに第１付勢力を付与して第２変形を生じさせる。
【００１２】
上記のモジュール部品では、前記背面パネルは、第１パネル体を含む。前記第１パネル体は、前記第１熱膨張係数よりも小さい第２熱膨張係数を有する。
【００１３】
上記のモジュール部品では、前記背面パネルは、第２パネル体及び第３パネル体を含む。前記第２パネル体は、第３熱膨張係数を有する。前記第３パネル体は、第４熱膨張係数を有する。前記第３熱膨張係数及び前記第４熱膨張係数は、いずれも前記第１熱膨張係数よりも小さい。
【００１４】
上記のモジュール部品では、前記第２パネル体と前記第３パネル体とは重なって一体に組み合わせられるか、または一体に突き合わせられる。
【００１５】
上記のモジュール部品では、前記熱膨張モジュールは、前記第１面と所定の距離において設けられる。
【００１６】
上記のモジュール部品では、前記第１熱膨張モジュール及び前記第２熱膨張モジュールは、前記加熱モジュールから発せられた熱を受けた後に前記第１方向に膨張することで、前記第１変形を生じるとともに前記背面パネルに前記第２変形を強制的に生じさせる。前記第１方向は、前記第１熱膨張モジュール及び前記第２熱膨張モジュールの長手方向であり、表示パネルの長辺と平行になる。
【００１７】
上記のモジュール部品では、前記第１熱膨張モジュール及び前記第２熱膨張モジュールは、前記加熱モジュールから発せられた熱を受けた後に前記第２方向に膨張することで、前記第１変形を生じるとともに前記背面パネルに前記第２変形を強制的に生じさせる。前記第２方向は、前記第１熱膨張モジュール及び前記第２熱膨張モジュールの長手方向であり、表示パネルの短辺と平行になる。
【００１８】
本発明の一実施形態に係る表示装置は、表示パネルと、前記表示パネルと一体に組み合わせられるモジュール部品とを含む。前記モジュール部品は、背面パネルと、前記背面パネルの第１面に固定される加熱モジュールと、前記加熱モジュールに固定され、第１熱膨張係数を有する熱膨張モジュールと、を含む。前記加熱モジュールは、前記熱膨張モジュールに熱を供給する。前記熱膨張モジュールは、前記加熱モジュールから供給された熱により第１変形を生じるとともに、前記背面パネルに第１付勢力を付与して第２変形を生じさせる。前記モジュール部品は、前記背面パネルが前記第２変形を生じた場合、前記表示パネルに第２付勢力を付与して第３変形を生じさせる。
【００１９】
上記の表示装置では、前記背面パネルは、第１パネル体を含む。前記第１パネル体は、前記第１熱膨張係数よりも小さい第２熱膨張係数を有する。
【００２０】
上記の表示装置では、前記背面パネルは、第２パネル体及び第３パネル体を含む。前記第２パネル体は、第３熱膨張係数を有する。前記第３パネル体は、第４熱膨張係数を有する。前記第３熱膨張係数及び前記第４熱膨張係数は、いずれも前記第１熱膨張係数よりも小さい。
【００２１】
上記の表示装置では、前記第２パネル体と前記第３パネル体とは重なって一体に組み合わせられるか、または一体に突き合わせられる。
【００２２】
上記の表示装置では、前記熱膨張モジュールは、前記第１面と所定の距離において設けられる。
【００２３】
上記の表示装置では、前記第１熱膨張モジュール及び前記第２熱膨張モジュールは、前記加熱モジュールから発せられた熱を受けた後に前記第１方向に膨張することで、前記第１変形を生じるとともに前記背面パネルに前記第２変形を強制的に生じさせる。前記第１方向は、前記第１熱膨張モジュール及び前記第２熱膨張モジュールの長手方向であり、表示パネルの長辺と平行になる。
【００２４】
上記の表示装置では、前記第１熱膨張モジュール及び前記第２熱膨張モジュールは、前記加熱モジュールから発せられた熱を受けた後に前記第２方向に膨張することで、前記第１変形を生じるとともに前記背面パネルに前記第２変形を強制的に生じさせる。前記第２方向は、前記第１熱膨張モジュール及び前記第２熱膨張モジュールの長手方向であり、表示パネルの短辺と平行になる。
【発明の効果】
【００２５】
従来技術と比べて、本発明に係るモジュール部品によれば、所望に応じて表示パネルを屈曲させて（変形させて）、必要な曲面ディスプレイを実現することができる。
【００２６】
本発明についての技術内容が一層明確に理解されるよう、以下に実施形態を例示し、図面を参照しながら、詳細に説明する。
【図面の簡単な説明】
【００２７】
【図１】本発明の第１実施形態に係る表示装置の斜視図である。
【図２】図１に示す表示装置の分解図である。
【図３】図１に示す表示装置が変形した状態を示す斜視図である。
【図４】図１に示す表示装置が変形した状態を示す分解図である。
【図５】本発明の第２実施形態に係る表示装置の斜視図である。
【図６】図５に示す表示装置の分解図である。
【図７】図５に示す表示装置が変形した状態を示す斜視図である。
【図８】図５に示す表示装置が変形した状態を示す分解図である。
【発明を実施するための形態】
【００２８】
以下、図面を参照しながら各実施例を説明し、本発明の実施可能な具体的な実施例を例示する。
【００２９】
図１は、本発明の第１実施形態に係る表示装置の斜視図である。図２は、図１に示す表示装置の分解図である。図３は、図１に示す表示装置が変形した状態を示す斜視図である。図４は、図１に示す表示装置が変形した状態を示す分解図である。本発明の第１実施形態を図１〜図４に基づいて説明する。
【００３０】
本実施形態に係る表示装置は、表示パネル１０４及びモジュール部品を含む。モジュール部品は、表示パネル１０４と一体に組み合わせられる。モジュール部品は、背面パネル１０１、加熱モジュール１０２及び熱膨張モジュール１０３を含む。
【００３１】
加熱モジュール１０２は、背面パネル１０１の第１面に固定される。第１面は、背面パネル１０１の外面であり、すなわち、表示パネル１０４と背向する一面である。背面パネル１０１の第２面（内面）は、表示パネル１０４に対向する一面である。
【００３２】
加熱モジュール１０２は、第１面の一部または全部を覆うように設けられる。本実施形態では、加熱モジュール１０２が第１面の一部を覆うことを例示して説明する。
【００３３】
本実施形態において、加熱モジュール１０２は、第１加熱モジュール１０２１及び第２加熱モジュール１０２２を含む。第１加熱モジュール１０２１及び第２加熱モジュール１０２２は互いに平行して配置される。第１加熱モジュール１０２１の位置する直線は、第１方向と平行になる。なお、第１方向は、表示パネル１０４の長辺と平行になる。
【００３４】
本実施形態において、熱膨張モジュール１０３は、第１面と所定の距離Ｓにおいて設けられる。具体的には、加熱モジュール１０２はパネル状であり、上記の所定の距離に対応する厚さを有する。第１加熱モジュール１０２１及び第２加熱モジュール１０２２は、ヒーター線または加熱ブロックなどの構成を含む。
【００３５】
熱膨張モジュール１０３は、加熱モジュール１０２に固定される。なお、熱膨張モジュール１０３は、粘着または溶接で加熱モジュール１０２に固定されてもよいし、ねじによって加熱モジュール１０２に固定されてもよい。熱膨張モジュール１０３は、具体的には、第１加熱モジュール１０２１に固定される第１熱膨張モジュール１０３１と、第２加熱モジュール１０２２に固定される第２熱膨張モジュール１０３２とを含む。
【００３６】
熱膨張モジュール１０３は、第１熱膨張係数を有する。加熱モジュール１０２は、熱膨張モジュール１０３に熱を供給する。熱膨張モジュール１０３は、加熱モジュール１０２から供給された熱により第１変形を生じるとともに、背面パネル１０１に第１付勢力を付与して第２変形を生じさせる。第１付勢力は、加熱モジュール１０２から供給された熱を熱膨張モジュール１０３により変換して得られるものである。
【００３７】
第１熱膨張モジュール１０３１は、具体的には、加熱モジュール１０２から発せられた熱を受けた後に第１方向（第１熱膨張モジュール１０３１の長手方向）に膨張することで、第１変形を生じるとともに背面パネル１０１を強制的に屈曲させる（背面パネル１０１に第２変形を生じさせる）。また、第２熱膨張モジュール１０３２は、加熱モジュール１０２から発せられた熱を受けた後に第１方向（第２熱膨張モジュール１０３２の長手方向）に膨張することで、第１変形を生じるとともに背面パネル１０１を強制的に屈曲させる（背面パネル１０１に第２変形を生じさせる）。
【００３８】
モジュール部品は、背面パネル１０１が第２変形を生じた場合に表示パネル１０４に第２付勢力を付与して第３変形を生じさせる。本実施形態において、表示パネル１０４は、可撓性のパネル、すなわち、表示パネル１０４が付勢された場合に屈曲可能なパネルであることが好ましい。第２変形及び第３変形は、いずれも第３方向に屈曲する変形に対応する。なお、第３方向は、背面パネル１０１の第１面から第２面へ指向する方向である。
【００３９】
本実施形態において、背面パネル１０１は、第１パネル体を含み、すなわち、単一のパネル体である（同一の熱膨張係数に対応する材料から構成される）。第１パネル体は、第２熱膨張係数を有する。第２熱膨張係数は、第１熱膨張係数よりも小さい。なお、第２熱膨張係数が第１熱膨張係数よりも小さいことから、背面パネル１０１の熱膨張速度は熱膨張モジュール１０３の熱膨張速度よりも遅い。
【００４０】
本実施形態において、表示装置は、加熱モジュール１０２に接続される温度コントローラをさらに含んでもよい。温度コントローラは、加熱モジュール１０２のオン・オフと、加熱モジュール１０２から発された熱の大小とを制御する。
【００４１】
さらに、表示装置は、加熱装置または熱膨張モジュール１０３の温度を検出（測定）するための温度センサをさらに含んでもよい。温度センサは、検出された温度のデータを上記の温度コントローラに送信し、その結果、温度コントローラが加熱モジュール１０２から発された熱を制御することができる。
【００４２】
さらに、温度コントローラは、ユーザの操作指令に基づいて、加熱モジュール１０２から発された熱を制御することもできる。
【００４３】
熱膨張モジュール１０３では、加熱モジュール１０２から供給された熱を受けた後、温度の変化によって長手方向における膨張量ΔＬがΔＬ＝ｆ（Δｔ）となる。ここでは、Δｔは温度変化量である。
【００４４】
熱膨張モジュール１０３が常温からΔｔ昇温した後、背面パネル１０１の長さがＬ１で、支持フレームの長さがＬ２であると、膨張量ΔＬは、ΔＬ＝Ｌ２−Ｌ１＝ｆ（Δｔ）＝θ＊ΔＨとなる。これにより、θ＝ｆ（Δｔ）／ΔＨ、背面パネル１０１の曲率半径Ｒ１は、Ｒ１＝Ｌ１／θ＝Ｌ１＊θ／ｆ（Δｔ）となる。
【００４５】
したがって、加熱モジュール１０２から発せられた熱を制御することにより、温度変化量Δｔを制御することができる。その結果、背面パネル１０１の第２変形の曲率半径を制御することができる。
【００４６】
第１実施形態によれば、表示パネル１０４は所望に応じて屈曲して（変形を生じて）、必要な複数の曲面ディスプレイを実現することができる。
【００４７】
図５は、本発明の第２実施形態に係る表示装置の斜視図である。図６は、図５に示す表示装置の分解図である。図７は、図５に示す表示装置が変形した状態を示す斜視図である。図８は、図５に示す表示装置が変形した状態を示す分解図である。本発明の第２実施形態を図５〜図８に基づいて説明する。
【００４８】
本発明の第２実施形態に係る表示装置は、上記の第１実施形態と類似するが、第１加熱モジュール１０２１及び第２加熱モジュール１０２２の位置する直線（長手方向）が第２方向と平行になる点が第１実施形態と相違する。なお、第２方向は、表示パネル１０４の短辺と平行になる。
【００４９】
第１熱膨張モジュール１０３１は、加熱モジュール１０２から発された熱を受けた後に第２方向（第１熱膨張モジュール１０３１の長手方向）に膨張することで、第１変形を生じるとともに背面パネル１０１を強制的に屈曲させる（背面パネル１０１に第２変形を生じさせる）。また、第２熱膨張モジュール１０３２は、加熱モジュール１０２から発せられた熱を受けた後に第２方向（第２熱膨張モジュール１０３２の長手方向）に膨張することで、第１変形を生じるとともに背面パネル１０１を強制的に屈曲させる（背面パネル１０１に第２変形を生じさせる）。
【００５０】
本発明の第３実施形態に係る表示装置は、上記の第１実施形態または第２実施形態と類似するが、背面パネル１０１が重なって一体に組み合わせられた第２パネル体及び第３パネル体を含む点が第１実施形態または第２実施形態と相違する。
【００５１】
なお、第２パネル体は、第３熱膨張係数を有し、第３パネル体は、第４熱膨張係数を有する。第３熱膨張係数及び第４熱膨張係数は、いずれも第１熱膨張係数よりも小さい。
【００５２】
本発明の第４実施形態に係る表示装置は、上記の第３実施形態と類似するが、第２パネル体と第３パネル体とが一体に突き合わせられ、第１加熱モジュール１０２１が第２パネル体に設置され、第２加熱モジュール１０２２が第３パネル体に設置される点が第３実施形態と相違する。
【００５３】
以上より、本発明の好適な実施形態を前述の通り開示したが、これらは決して本発明を限定するものではない。当業者であれば、本発明の精神及び範囲を含む各種の変動や潤色は、本発明の保護を求める範囲内に属するものであることを理解されたい。
【図１】
0006406768.tif 000002
【図２】
0006406768.tif 000003
【図３】
0006406768.tif 000004
【図４】
0006406768.tif 000005
【図５】
0006406768.tif 000006
【図６】
0006406768.tif 000007
【図７】
0006406768.tif 000008
【図８】
0006406768.tif 000009